(57)【要約】【課題】配電用変電所等における遠隔監視制御システムにおいて、親局に対して、複数の子局を１つの子局に見せ、アナログ配電盤とデジタル配電盤を混在できるようにするためのプロトコル変換装置を提供する。【解決手段】ＴＣ／ＤＴＣ変換装置７は、アナログ配電盤が接続されたアナログ用遠隔監視制御装置（ＴＣ）と通信するためのＣＤＴ用回線制御部７２と、デジタル配電盤が接続されたデジタル用遠隔監視制御装置（ＤＴＣ）と通信するためのＬＡＮ用回線制御部７６と、アナログ用遠隔監視制御装置（ＴＣ）と通信するためのＣＤＴプロトコルとデジタル用遠隔監視制御装置（ＤＴＣ）と通信するためのＩＰプロトコルとを相互に変換するメインＣＰＵ７１とを備える。【選択図】図２
2010178058.tif 000002
【特許請求の範囲】
【請求項１】
アナログ配電盤が接続されたアナログ用遠隔監視制御装置と通信するための第１の通信インタフェースと、デジタル配電盤が接続されたデジタル用遠隔監視制御装置と通信するための第２の通信インタフェースと、前記アナログ用遠隔監視制御装置と通信するための第１の通信プロトコルと前記デジタル用遠隔監視制御装置と通信するための第２の通信プロトコルとを相互に変換するプロトコル変換手段とを備えたことを特徴とするプロトコル変換装置。
【請求項２】
請求項１に記載のプロトコル変換装置において、前記第１の通信プロトコルはＣＤＴ方式であり、前記第２の通信プロトコルはＩＰ方式であり、
前記プロトコル変換手段は、前記ＣＤＴ方式から前記ＩＰ方式へ、または、前記ＩＰ方式から前記ＣＤＴ方式へ通信プロトコルの変換を行うことを特徴とするプロトコル変換装置。
【請求項３】
請求項２に記載のプロトコル変換装置において、前記デジタル用遠隔監視制御装置から前記アナログ用遠隔監視制御装置へ、前記アナログ配電盤を制御するための制御情報を伝送する場合、前記プロトコル変換手段は、前記制御情報の制御項目を識別するための前記ＩＰ方式に対応したアドレスを、前記ＣＤＴ方式に対応したアドレスに変換することを特徴とするプロトコル変換装置。
【請求項４】
請求項３に記載のプロトコル変換装置において、前記プロトコル変換手段は、前記制御情報の項目毎に制御方式を指定するための前記ＩＰ方式に対応したアドレスを、前記ＣＤＴ方式に対応したアドレスに変換することを特徴とするプロトコル変換装置。
【請求項５】
請求項２に記載のプロトコル変換装置において、前記アナログ用遠隔監視制御装置から前記デジタル用遠隔監視制御装置へ、前記アナログ配電盤の状態情報を表示させるための表示情報を伝送する場合、前記プロトコル変換手段は、前記表示情報の表示項目を識別するための前記ＣＤＴ方式に対応したアドレスを、前記ＩＰ方式に対応したアドレスに変換することを特徴とするプロトコル変換装置。
【請求項６】
請求項５に記載のプロトコル変換装置において、前記表示項目のいずれかに状態変化を検出した場合、前記プロトコル変換手段は、前記状態変化を検出した表示項目を識別するための前記ＣＤＴ方式に対応したアドレスを、前記ＩＰ方式に対応したアドレスに変換することを特徴とするプロトコル変換装置。
【請求項７】
請求項２に記載のプロトコル変換装置において、前記アナログ用遠隔監視制御装置から前記デジタル用遠隔監視制御装置へ、前記アナログ配電盤の計測情報を伝送する場合、前記プロトコル変換手段は、前記計測情報の計測項目を識別するための前記ＣＤＴ方式に対応したアドレスを、前記ＩＰ方式に対応したアドレスに変換することを特徴とするプロトコル変換装置。
【請求項８】
請求項１〜７に記載のプロトコル変換装置において、前記アナログ用遠隔監視制御装置から前記アナログ配電盤に係る故障発生が通知されると、該通知に対する選択信号を前記アナログ用遠隔監視制御装置へ送信し、前記選択信号に応じた詳細故障情報を前記アナログ用遠隔監視制御装置から取得することを特徴とするプロトコル変換装置。
【請求項９】
集中監視制御を行うための監視制御親局と、デジタル配電盤が接続されたデジタル用遠隔監視制御装置とを備え、前記監視制御親局と前記デジタル用遠隔監視制御装置とが接続された遠隔監視制御システムであって、
前記デジタル用遠隔監視制御装置にはプロトコル変換装置を介して、アナログ配電盤が接続されたアナログ用遠隔監視制御装置が接続され、
前記プロトコル変換装置は、前記アナログ用遠隔監視制御装置と通信するための第１の通信プロトコルと、前記デジタル用遠隔監視制御装置と通信するための第２の通信プロトコルとを相互に変換することを特徴とする遠隔監視制御システム。
【請求項１０】
請求項９に記載の遠隔監視制御システムにおいて、前記第１の通信プロトコルはＣＤＴ方式であり、前記第２の通信プロトコルはＩＰ方式であり、
前記プロトコル変換装置は、前記ＣＤＴ方式から前記ＩＰ方式へ、または、前記ＩＰ方式から前記ＣＤＴ方式へ通信プロトコルの変換を行うことを特徴とする遠隔監視制御システム。
【請求項１１】
請求項９又は１０に記載の遠隔監視制御システムにおいて、前記プロトコル変換装置は、前記アナログ用遠隔監視制御装置から前記アナログ配電盤に係る故障発生が通知されると、該通知に対する選択信号を前記アナログ用遠隔監視制御装置へ送信し、
前記アナログ用遠隔監視制御装置は、前記選択信号に応じた詳細故障情報を前記プロトコル変換装置へ送信し、
前記プロトコル変換装置は、前記詳細故障情報をプロトコル変換した後に前記デジタル用遠隔監視制御装置へ送信することを特徴とする遠隔監視制御システム。
【発明の詳細な説明】
【技術分野】
【０００１】
本発明は、プロトコル変換装置及び遠隔監視制御システムに関し、アナログ配電盤が接続されるアナログ用遠隔監視制御装置（ＴＣ）と、デジタル配電盤が接続されるデジタル用遠隔監視制御装置（ＤＴＣ）との間でプロトコル変換を行うプロトコル変換装置及び該装置を備えた遠隔監視制御システムに関する。
【背景技術】
【０００２】
配電用変電所等において、従来のアナログ配電盤の監視制御に係る情報伝送には、アナログ用遠隔監視制御装置（以下、ＴＣ（テレコン）子局という）が使用されていたが、最近では、このアナログ配電盤に代わり、デジタル配電盤が使用されるようになってきた。このデジタル配電盤は、従来のアナログ配電盤と通信インタフェースが異なることから、アナログ用のＴＣ子局ではなく、デジタル用遠隔監視制御装置（以下、ＤＴＣ（デジタルテレコン）子局という）が使用される。
【０００３】
図２８は、従来の配電用変電所設備の監視制御系の基本構成を示す図である。図２８（Ａ）はアナログ配電盤とＴＣ子局を含むシステム構成を示し、図２８（Ｂ）はデジタル配電盤とＤＴＣ子局を含むシステム構成を示す。図中、１００は制御所、１０１は制御ＣＰＵ、１０２はＩＴＣ親局、１０３は配電用変電所、１０４はＴＣ（テレコン）／ＴＭ（テレメータ）子局、１０５ａ〜１０５ｃはアナログ配電盤、１０６はＤＴＣ（デジタルテレコン）子局、１０７はハブ、１０８ａ〜１０８ｃはデジタル配電盤を示す。なお、本明細書では、ＩＴＣ親局１０２は、監視制御親局である制御所１００におけるＴＣ子局あるいはＤＴＣ子局との通信制御装置を意味しており、ＩＴＣをインテリジェントテレコンの略語として使用するものとする。
【０００４】
図２８（Ａ），（Ｂ）に示すシステム構成は、それぞれ独立した遠隔監視制御システムとして構成されたものであり、１つの親局（ＩＴＣ親局１０２）に対して１つの子局（ＴＣ／ＴＭ子局１０４またはＤＴＣ子局１０６）がＣＤＴ（Cyclic Digital Transmission:サイクリックデジタル伝送）方式またはＨＤＬＣ(High level Data Link Control)方式により通信可能に接続されている。
【０００５】
図２８（Ａ）において、ＴＣ／ＴＭ子局１０４とアナログ配電盤１０５ａ〜１０５ｃとは接点・アナログ接続される。また、図２８（Ｂ）において、ＤＴＣ子局１０６とデジタル配電盤１０８ａ〜１０８ｃとはハブ１０７を介してＬＡＮ（Local Area Network）で接続される。ここで、デジタル配電盤１０８ａ〜１０８ｃは、ＤＴＣ子局１０６とＴＣＰ(Transmission Control Protocol)／ＩＰ(Internet Protocol)プロトコルにより通信可能に接続される。
【０００６】
図２９，図３０は、アナログ配電盤の一部をデジタル配電盤に更新しようとした場合について説明するための図である。既存のアナログ配電盤システムにおいて、例えば、アナログ配電盤１０５ｃをデジタル配電盤１０８に更新しようとした場合、ＴＣ／ＴＭ子局１０４は通信インタフェース（ＬＡＮ）を持たないため、デジタル配電盤１０８をＴＣ／ＴＭ子局１０４に接続して通信することができない。また、ＤＴＣ子局１０６は既存のアナログ配電盤１０５ａ，１０５ｂに対応した通信インタフェースを持たないため、アナログ配電盤１０５ａ，１０５ｂをＤＴＣ子局１０６に接続することもできない。
【０００７】
従って、図３０に示すように、デジタル配電盤１０８を接続するためにはＤＴＣ子局１０６が必要となり、このＤＴＣ子局１０６をＩＴＣ親局１０２に接続することになってしまう。この場合、ＩＴＣ親局１０２から見ると、１つの配電用変電所１０３に対して、ＴＣ／ＴＭ子局１０４及びＤＴＣ子局１０６の２つの子局を監視対象とすることになり、効率的な監視制御の妨げとなってしまう。このため、これまでアナログ配電盤の一部をデジタル配電盤に更新するような方法は取られておらず、使用可能なアナログ配電盤を含む全てのアナログ配電盤をデジタル配電盤に更新するようにしていた。
【０００８】
上記において、ＩＴＣ親局１０２から見て、２つの子局を仮想的に１つの子局に見せるためには、ＴＣ／ＴＭ子局１０４をＩＴＣ親局１０２ではなく、ＤＴＣ子局１０６に接続することが考えられる。しかし、ＤＴＣ子局１０６の配電盤（下位）側の通信プロトコルはＴＣＰ／ＩＰ方式であり、ＴＣ／ＴＭ子局１０４の親局（上位）側の通信プロトコルはＣＤＴ方式であるため、両者の通信プロトコルの相違により、通信可能に接続することはできない。
【０００９】
これに対して、特許文献１には、従来の監視制御システムの伝送方式であるＣＤＴやＨＤＬＣ方式からＩＰ方式に移行するために、親局と子局間において伝送情報を変換する技術が記載されている。これによれば、親局をＩＰ伝送方式に更新する場合に伝送情報変換器を親局内に実装するようにし、子局とはＣＤＴ方式で伝送を行うようにしている。
【先行技術文献】
【特許文献】
【００１０】
【特許文献１】特開２００８−１０９４１７号公報
【発明の概要】
【発明が解決しようとする課題】
【００１１】
しかしながら、上記特許文献１に記載の技術は、親局と子局との間でプロトコル変換を行うようにしたものに過ぎず、アナログ配電盤が接続されるＴＣ／ＴＭ子局と、デジタル配電盤が接続されるＤＴＣ子局との間におけるプロトコル変換を行うものではない。すなわち、前述したように、親局から見て、２つの子局を仮想的に１つの子局に見せ、アナログ配電盤とデジタル配電盤を混在させるためには、ＣＤＴ／ＩＰプロトコル変換において、アナログ配電盤の監視（制御，表示，計測）項目を識別するためのアドレスを変換する機能や、ＴＣ子局から選択表示項目を取り込むために、ＴＣ子局、アナログ配電盤向けに自動的に選択出力を行う機能などを実現する必要があるが、特許文献１に記載の技術では、このような機能を実現することはできないため、アナログ配電盤とデジタル配電盤が混在するシステムに適用することはできない。
【００１２】
本発明は、上述のごとき実情に鑑みてなされたものであり、配電用変電所等における遠隔監視制御システムにおいて、親局に対して、複数の子局を１つの子局に見せ、アナログ配電盤とデジタル配電盤を混在できるようにするためのプロトコル変換装置及び該装置を備えた遠隔監視制御システムを提供すること、を目的とする。
【課題を解決するための手段】
【００１３】
上記課題を解決するために、第１の技術手段は、プロトコル変換装置において、アナログ配電盤が接続されたアナログ用遠隔監視制御装置と通信するための第１の通信インタフェースと、デジタル配電盤が接続されたデジタル用遠隔監視制御装置と通信するための第２の通信インタフェースと、前記アナログ用遠隔監視制御装置と通信するための第１の通信プロトコルと前記デジタル用遠隔監視制御装置と通信するための第２の通信プロトコルとを相互に変換するプロトコル変換手段とを備えたことを特徴としたものである。
【００１４】
第２の技術手段は、第１の技術手段において、前記第１の通信プロトコルはＣＤＴ方式であり、前記第２の通信プロトコルはＩＰ方式であり、前記プロトコル変換手段は、前記ＣＤＴ方式から前記ＩＰ方式へ、または、前記ＩＰ方式から前記ＣＤＴ方式へ通信プロトコルの変換を行うことを特徴としたものである。
【００１５】
第３の技術手段は、第２の技術手段において、前記デジタル用遠隔監視制御装置から前記アナログ用遠隔監視制御装置へ、前記アナログ配電盤を制御するための制御情報を伝送する場合、前記プロトコル変換手段は、前記制御情報の制御項目を識別するための前記ＩＰ方式に対応したアドレスを、前記ＣＤＴ方式に対応したアドレスに変換することを特徴としたものである。
【００１６】
第４の技術手段は、第３の技術手段において、前記プロトコル変換手段は、前記制御情報の項目毎に制御方式を指定するための前記ＩＰ方式に対応したアドレスを、前記ＣＤＴ方式に対応したアドレスに変換することを特徴としたものである。
【００１７】
第５の技術手段は、第２の技術手段において、前記アナログ用遠隔監視制御装置から前記デジタル用遠隔監視制御装置へ、前記アナログ配電盤の状態情報を表示させるための表示情報を伝送する場合、前記プロトコル変換手段は、前記表示情報の表示項目を識別するための前記ＣＤＴ方式に対応したアドレスを、前記ＩＰ方式に対応したアドレスに変換することを特徴としたものである。
【００１８】
第６の技術手段は、第５の技術手段において、前記表示項目のいずれかに状態変化を検出した場合、前記プロトコル変換手段は、前記状態変化を検出した表示項目を識別するための前記ＣＤＴ方式に対応したアドレスを、前記ＩＰ方式に対応したアドレスに変換することを特徴としたものである。
【００１９】
第７の技術手段は、第２の技術手段において、前記アナログ用遠隔監視制御装置から前記デジタル用遠隔監視制御装置へ、前記アナログ配電盤の計測情報を伝送する場合、前記プロトコル変換手段は、前記計測情報の計測項目を識別するための前記ＣＤＴ方式に対応したアドレスを、前記ＩＰ方式に対応したアドレスに変換することを特徴としたものである。
【００２０】
第８の技術手段は、第１〜第７のいずれか１の技術手段において、前記アナログ用遠隔監視制御装置から前記アナログ配電盤に係る故障発生が通知されると、該通知に対する選択信号を前記アナログ用遠隔監視制御装置へ送信し、前記選択信号に応じた詳細故障情報を前記アナログ用遠隔監視制御装置から取得することを特徴としたものである。
【００２１】
第９の技術手段は、集中監視制御を行うための監視制御親局と、デジタル配電盤が接続されたデジタル用遠隔監視制御装置とを備え、前記監視制御親局と前記デジタル用遠隔監視制御装置とが接続された遠隔監視制御システムであって、前記デジタル用遠隔監視制御装置にはプロトコル変換装置を介して、アナログ配電盤が接続されたアナログ用遠隔監視制御装置が接続され、前記プロトコル変換装置は、前記アナログ用遠隔監視制御装置と通信するための第１の通信プロトコルと、前記デジタル用遠隔監視制御装置と通信するための第２の通信プロトコルとを相互に変換することを特徴としたものである。
【００２２】
第１０の技術手段は、第９の技術手段において、前記第１の通信プロトコルはＣＤＴ方式であり、前記第２の通信プロトコルはＩＰ方式であり、前記プロトコル変換装置は、前記ＣＤＴ方式から前記ＩＰ方式へ、または、前記ＩＰ方式から前記ＣＤＴ方式へ通信プロトコルの変換を行うことを特徴としたものである。
【００２３】
第１１の技術手段は、第９又は第１０の技術手段において、前記プロトコル変換装置は、前記アナログ用遠隔監視制御装置から前記アナログ配電盤に係る故障発生が通知されると、該通知に対する選択信号を前記アナログ用遠隔監視制御装置へ送信し、前記アナログ用遠隔監視制御装置は、前記選択信号に応じた詳細故障情報を前記プロトコル変換装置へ送信し、前記プロトコル変換装置は、前記詳細故障情報をプロトコル変換した後に前記デジタル用遠隔監視制御装置へ送信することを特徴としたものである。
【発明の効果】
【００２４】
本発明によれば、配電用変電所等における遠隔監視制御システムにおいて、親局に対して、複数の子局を１つの子局に見せ、アナログ配電盤とデジタル配電盤を混在させることができるため、アナログ配電盤の一部をデジタル配電盤に容易に更新することができる。
また、更新時において、ＤＴＣ子局や、ＴＣ子局、アナログ配電盤、デジタル配電盤などの既存装置をそのまま利用することができるため、コストをかけずにシステムを構築することができる。
【図面の簡単な説明】
【００２５】
【図１】本発明の一実施形態に係る遠隔監視制御システムの構成例を示す図である。
【図２】図１に示したＴＣ／ＤＴＣ変換装置の構成例を示すブロック図である。
【図３】ＴＣ子局とＴＣ／ＤＴＣ変換装置間で伝送されるＣＤＴ方式によるＣＤＴ伝送フォーマットの一例を示す図である。
【図４】情報ワードの符号構成における選択制御ワードの構成例を示す図である。
【図５】情報ワードの符号構成における表示ワード及び計測ワードの構成例を示す図である。
【図６】ＤＴＣ子局とＴＣ／ＤＴＣ変換装置間で伝送されるＩＰ方式によるＩＴＣパケットフォーマットの一例を示す図である。
【図７】ＴＣ／ＤＴＣ変換装置内のメモリに格納される制御情報管理テーブルの一例を示す図である。
【図８】、ＴＣ／ＤＴＣ変換装置内のメモリに格納される表示情報管理テーブルの一例を示す図である。
【図９】ＴＣ／ＤＴＣ変換装置内のメモリに格納される計測情報管理テーブルの一例を示す図である。
【図１０】本発明のＴＣ／ＤＴＣ変換装置が備えるＣＤＴ／ＩＰ変換機能を説明するための図である。
【図１１】従来の子局側と親局側との間における自動選択機能を説明するための図である。
【図１２】図１１に示すシステム構成に基づき実行される自動選択処理の一例を説明するための図である。
【図１３】デジタル配電盤を備えた場合における子局側と親局側との間における自動選択機能を説明するための図である。
【図１４】図１３に示すシステム構成に基づき実行される自動選択処理の一例を説明するための図である。
【図１５】本発明のシステム構成に基づき実行される自動選択処理の一例を説明するための図である。
【図１６】本発明の遠隔監視制御システムによる遠隔監視制御方法の一例を説明するための図である。
【図１７】本発明の遠隔監視制御システムによる遠隔監視制御方法の他の例を説明するための図である。
【図１８】本発明の遠隔監視制御システムによる遠隔監視制御方法の他の例を説明するための図である。
【図１９】本発明の遠隔監視制御システムによる遠隔監視制御方法の他の例を説明するための図である。
【図２０】本発明の遠隔監視制御システムによる遠隔監視制御方法の他の例を説明するための図である。
【図２１】本発明の遠隔監視制御システムによる遠隔監視制御方法の他の例を説明するための図である。
【図２２】本発明の遠隔監視制御システムによる遠隔監視制御方法の他の例を説明するための図である。
【図２３】本発明の遠隔監視制御システムによる遠隔監視制御方法の他の例を説明するための図である。
【図２４】本発明の遠隔監視制御システムによる遠隔監視制御方法の他の例を説明するための図である。
【図２５】本発明の遠隔監視制御システムによる遠隔監視制御方法の他の例を説明するための図である。
【図２６】本発明の遠隔監視制御システムによる遠隔監視制御方法の他の例を説明するための図である。
【図２７】本発明の遠隔監視制御システムによる遠隔監視制御方法の他の例を説明するための図である。
【図２８】従来の配電用変電所設備の監視制御系の基本構成を示す図である。
【図２９】アナログ配電盤の一部をデジタル配電盤に更新しようとした場合について説明するための図である。
【図３０】アナログ配電盤の一部をデジタル配電盤に更新しようとした場合について説明するための図である。
【発明を実施するための形態】
【００２６】
以下、添付図面を参照しながら、本発明のプロトコル変換装置及び該装置を備えた遠隔監視制御システムの好適な実施の形態について説明する。
【００２７】
図１は、本発明の一実施形態に係る遠隔監視制御システムの構成例を示す図で、図中、１は制御所、４は配電用変電所を示す。制御所（監視制御親局に相当）１には、制御ＣＰＵ２、ＩＴＣ（インテリジェントテレコン）親局３が設置されている。また、配電用変電所４には、アナログ配電盤６ａ〜６ｃが接点・アナログ接続されたＴＣ（テレコン）／ＴＭ（テレメータ）子局（以下、単にＴＣ子局という）５と、デジタル配電盤１０ａ〜１０ｃがハブ９を介してＬＡＮ接続されたＤＴＣ子局８と、本発明の主たる特徴部分であるプロトコル変換装置に相当するＴＣ／ＤＴＣ変換装置７とが設置されている。なお、ＴＣ子局５はアナログ用遠隔監視制御装置に相当し、ＤＴＣ子局８はデジタル用遠隔監視制御装置に相当する。
【００２８】
ＤＴＣ子局８は、その上位側がＩＴＣ親局とＨＤＬＣ方式により通信可能に接続され、下位側がデジタル配電盤１０ａ〜１０ｃとＴＣＰ／ＩＰ方式（ＬＡＮ）により通信可能に接続される。また、ＴＣ／ＤＴＣ変換装置７は、その上位側がＤＴＣ子局８とＴＣＰ／ＩＰ方式により通信可能に接続され、下位側がＴＣ子局５とＣＤＴ方式により通信可能に接続される。なお、本例では、ＴＣ／ＤＴＣ変換装置７は、ハブ９を介してＤＴＣ子局８と外部接続されるものとして示しているが、ＤＴＣ子局８に内蔵する構成としてもよい。
【００２９】
図２は、図１に示したＴＣ／ＤＴＣ変換装置７の構成例を示すブロック図である。図中、ＴＣ／ＤＴＣ変換装置７は、プロトコル変換手段に相当するメインＣＰＵ７１と、第１の通信インフェースに相当するＣＤＴ用回線制御部７２と、１回線２ルートの回線に対応しＴＣ子局５からの信号を復調する復調部７３と、１回線２ルートの回線に対応しＴＣ子局５への信号を変調する変調部７４と、ＴＣ／ＤＴＣ変換装置７に電力を供給する電源部７５と、第２の通信インタフェースに相当するＬＡＮ用回線制御部７６と、各種警報を出力する警報出力部７７と、制御プログラムやアドレス変換テーブルなどを格納するメモリ７８とを備える。上記の復調部７３と変調部７４とによりモデム部を構成する。
【００３０】
本発明の主たる特徴部分は、配電用変電所等における遠隔監視制御システムにおいて、親局から見て、複数の子局を仮想的に１つの子局に見せアナログ配電盤とデジタル配電盤を混在できるようにすることにある。このための構成として、ＴＣ／ＤＴＣ変換装置７は、アナログ配電盤６ａ〜６ｃが接続されたＴＣ子局５と通信するためのＣＤＴ用回線制御部７２と、デジタル配電盤１０ａ〜１０ｃが接続されたＤＴＣ子局８と通信するためのＬＡＮ用回線制御部７６と、ＴＣ子局５と通信するための第１の通信プロトコルとＤＴＣ子局８と通信するための第２の通信プロトコルとを相互に変換するメインＣＰＵ７１とを備える。
【００３１】
本例の場合、第１の通信プロトコルはＣＤＴ（サイクリックデジタル伝送）方式であり、第２の通信プロトコルはＩＰ（インターネットプロトコル）方式である。メインＣＰＵ７１は、ＣＤＴ方式からＩＰ方式へ、あるいは、ＩＰ方式からＣＤＴ方式へ通信プロトコルの変換を行う。これにより、ＩＴＣ親局３とＴＣ子局５との相互通信を可能にするが、ＴＣ子局５はＤＴＣ子局８の下位側にぶら下がる形で接続されるため、ＩＴＣ親局３は１つのＤＴＣ子局８と接続するだけでよい。このような構成としたことにより、図１において、例えば、アナログ配電盤６ｃをデジタル配電盤に更新しようとした場合、既存のアナログ配電盤６ａ，６ｂを生かした状態で、アナログ配電盤６ｃだけをデジタル配電盤に更新することができる。
【００３２】
ここで、本発明の遠隔監視制御システムにおいて、ＤＴＣ子局８（ＩＴＣ親局３）とＴＣ子局５との間で伝送される監視情報として、アナログ配電盤６の状態情報を表示させるための表示情報と、アナログ配電盤６の計測情報と、アナログ配電盤６を制御するための制御情報とが含まれる。これらの表示情報，計測情報，制御情報は、ＴＣ子局５のＣＤＴ伝送フォーマット（ＣＤＴ方式）では、「群・個アドレス」として管理され、ＤＴＣ子局８のＩＴＣパケットフォーマット（ＩＰ方式）では、「データアドレス」として管理される。これらのＣＤＴ伝送フォーマットとＩＴＣパケットフォーマットについては後述の図３〜図６に基づき説明する。
【００３３】
図２において、ＤＴＣ子局８からＴＣ子局５へ、アナログ配電盤６を制御するための制御情報を伝送する場合、メインＣＰＵ７１は、制御情報の制御項目を識別するためのＩＰ方式に対応したデータアドレスを、ＣＤＴ方式に対応した群・個アドレスに変換する。これらの群・個アドレス，データアドレスによれば、どの配電盤のどの項目を制御するのかが特定される。
【００３４】
上記において、メインＣＰＵ７１は、制御情報の項目毎に制御方式を指定するためのデータアドレスを、ＣＤＴ方式に対応した群・個アドレスに変換する。ここでいう制御方式とは、後述の図７に示すように、２挙動制御，１挙動制御に区別される。また、通常の２挙動制御，１挙動制御の処理の流れは後述の図２０に示すようなフローとなる。２挙動制御の制御方式としては、ＣＬ（Close:入り制御），ＯＰ（Open:切り制御），ＲＳ（Reset:復帰制御）があり、後述の図４（Ｃ）に示す３Ｃ２コードに対応している。これらＣＬ，ＯＰ，ＲＳは機器選択後に出力される。
【００３５】
また、ＴＣ子局５からＤＴＣ子局８へ、アナログ配電盤６の状態情報を表示させるための表示情報を伝送する場合、メインＣＰＵ７１は、表示情報の表示項目を識別するためのＣＤＴ方式に対応した群・個アドレスを、ＩＰ方式に対応したデータアドレスに変換する。これらの群・個アドレス，データアドレスによれば、どの配電盤のどの項目を表示するのかが特定される。
【００３６】
上記において、表示項目のいずれかに状態変化を検出した場合、メインＣＰＵ７１は、状態変化を検出した表示項目を識別するためのＣＤＴ方式に対応した群・個アドレスを、ＩＰ方式に対応したデータアドレスに変換する。この状態変化（以下、しばしば状変という）の検出は、各表示項目に含まれる所定のビットのオン／オフを切り替えることで行うことができる。
【００３７】
また、ＴＣ子局５からＤＴＣ子局８へ、アナログ配電盤６の計測情報を伝送する場合、メインＣＰＵ７１は、計測情報の計測項目を識別するためのＣＤＴ方式に対応したワードアドレスを、ＩＰ方式に対応したデータアドレスに変換する。これらのワードアドレス，データアドレスによれば、各配電盤の計測項目について要求に応じてあるいは定期的に計測値が伝送される。
【００３８】
図３は、ＴＣ子局とＴＣ／ＤＴＣ変換装置間で伝送されるＣＤＴ方式によるＣＤＴ伝送フォーマットの一例を示す図である。図３（Ａ）に示すように、ＣＤＴ伝送フォーマットによれば、１サイクルで第１フレームと第２フレームの２つのフレームが伝送される。また、図３（Ｂ）に示すように、第１フレームには、１つの同期ワードと、１〜３１の情報ワードが格納され、第２フレームには、１つの同期ワードと、３３〜６３の情報ワードが格納される。また、図３（Ｃ）に示すように、１つの同期ワードは４４ビットで構成され、１つの情報ワードは初送２２ビット，連送２２ビットの４４ビットで構成される。
【００３９】
以下、図４，図５に基づいて、ＣＤＴ伝送フォーマットの具体的な構成例を、制御情報，表示情報，計測情報のそれぞれに区別して説明する。
図４は、情報ワードの符号構成における選択制御ワードの構成例を示す図である。図４（Ａ）に示すように、選択制御ワード（制御情報）は２２ビットで構成され、ビット番号９〜１３には５Ｃ２群選択コード、ビット番号１４〜１８には５Ｃ２個選択コードが割り当てられており、この５Ｃ２群選択コード，５Ｃ２個選択コードは、図４（Ｂ）の５Ｃ２群・個コード変換表によりそれぞれ群と個（すなわち、群・個アドレス）が特定される。この群・個には予め制御対象・制御項目が関連付けされており、群・個アドレスが特定されると、制御対象と制御項目を特定することができる。
【００４０】
また、ビット番号１９〜２１には３Ｃ２制御コードが割り当てられており、この３Ｃ２制御コードは、図４（Ｃ）の３Ｃ２制御コード変換表により制御方式（ＣＬ（入），ＯＰ（切），ＲＳ（復帰），非制御時）が指定される。この制御方式は、制御項目に対応させて管理される。
【００４１】
ＴＣ／ＤＴＣ変換装置７は、図４（Ｂ）の５Ｃ２群・個コード変換表、図４（Ｃ）の３Ｃ２制御コード変換表をメモリ７８に保持している。例えば、５Ｃ２群選択コードが“０００１１”であれば、“１群”となり、５Ｃ２個選択コードが“００１１０”であれば、“３個”となる。すなわち、５Ｃ２群選択コードが“０００１１”，５Ｃ２個選択コードが“００１１０”であれば、対応する群・個アドレスは“１群３個”となる。
【００４２】
図５は、情報ワードの符号構成における表示ワード及び計測ワードの構成例を示す図である。図５（Ａ）は表示ワード（表示情報）の構成を示し、図５（Ｂ）は計測ワード（計測情報）の構成を示す。これら表示情報，計測情報の群・個アドレスによる管理は、前述の制御情報の群・個アドレスによる管理に準じているが、制御情報とは群・個の割り当て方が異なる。
【００４３】
図５（Ａ）において、表示情報における群・個アドレスの場合、ビット番号１〜６には群・個アドレスの“群”に相当するワードアドレスが割り当てられ、ビット番号１２〜２１には群・個アドレスの“個”に相当する表示項目が割り当てられる。この表示項目には制御項目より多くの項目が割り当てられるようにビット数が多くなっている。
【００４４】
図５（Ｂ）において、計測情報におけるワードアドレスの場合、ビット番号１〜６にはワードアドレスが割り当てられ、ビット番号１０〜２１には計測項目（計測数値）が割り当てられる。この計測数値は、例えば、後述の図９において、「ＬＴ１二次電流」は伝送数値「０〜３００」となっているが、この範囲に対応した現在値を下位側から受信し、上位側に出力される。現在値が例えば１５０とすると、図５（Ｂ）のビット番号１３，１５，１７がオンとなり伝送される。このとき、ワードアドレスのビット番号２，４，６がオンで２１ワードとなる。
【００４５】
図６は、ＤＴＣ子局とＴＣ／ＤＴＣ変換装置間で伝送されるＩＰ方式によるＩＴＣパケットフォーマットの一例を示す図である。このＩＴＣパケットには、フレーム長，送信元装置アドレス，種別コード（ＩＤ），日・時・分・秒，データ部，送信先装置アドレスなどが含まれる。ＩＴＣパケットでは、前述したＣＤＴ伝送フォーマットにおける群・個アドレスがデータアドレスとして管理されるため、ＴＣ／ＤＴＣ変換装置７では、群・個アドレスとデータアドレスとを相互に変換する機能を備える。
【００４６】
図６において、フレーム長にはＩＴＣヘッダ情報及び個別フォーマット部のバイトサイズが格納される。送信元装置アドレスにはパケット発信元の電気所（図１では配電用変電所３）のアドレスが格納される。種別コードには以下に説明する監視情報の種別を識別するためのＩＤが格納される。日・時・分・秒にはパケットの生成時刻が格納される。データ部には監視情報のデータアドレスが格納される。送信先装置アドレスにはパケット送信先の電気所（図１では制御所１）のアドレスが格納される。
【００４７】
ここで、前述したように、配電盤（アナログ，デジタル）に係る監視情報としては、大きく、制御情報、表示情報、計測情報に分けられる。また、この監視情報の伝送方向は、ＴＣ子局５からＩＴＣ親局３に向かう方向を上り方向、ＩＴＣ親局３からＴＣ子局５に向かう方向を下り方向としている。制御情報は親局から子局に出力され、この制御情報に対して、子局から親局に対して返信を行うため、上り／下りの両方向で伝送される。表示情報は子局から親局に出力されるため、上り方向に伝送される。計測情報は子局から親局に出力されるため、上り方向に伝送される。
【００４８】
上記の監視情報にはＩＤが付与される。例えば、イニシャライズ情報伝送要求の下り用のＩＤとして、“０１ｈ”が割り当てられ、システム間装置診断情報の上り用，下り用のＩＤとして、“０３ｈ”が割り当てられている。表示イニシャライズ情報の上り用のＩＤとして、“１０ｈ”が割り当てられ、表示状変情報の上り用のＩＤとして、“１４ｈ”が割り当てられている。また、計測情報要求の下り用のＩＤとして、“２４ｈ”，上り用のＩＤとして、“２８ｈ”が割り当てられている。また、計測情報には高速定周期計測情報，定時計測情報，要求時計測情報が含まれ、上り用のＩＤとしてそれぞれ、“２０ｈ”，“２４ｈ”，“２８ｈ”が割り当てられている。
【００４９】
また、制御情報には選択制御情報，応動状変表示情報が含まれ、選択制御情報の上り用，下り用のＩＤは共に、“３０ｈ”が割り当てられ、応動状変表示情報の上り用のＩＤとして、“３１ｈ”が割り当てられている。また、一挙動制御情報の下り用のＩＤとして、“３９ｈ”が割り当てられ、時刻同期情報の下り用のＩＤとして、“５０ｈ”が割り当てられている。
【００５０】
ＴＣ／ＤＴＣ変換装置７のメモリ７８には、ＣＤＴ方式に対応した群・個アドレスと、ＩＰ方式に対応したデータアドレスとを相互に変換するための変換テーブルが、制御情報、表示情報、計測情報毎に格納されている。この変換テーブルにより、群・個アドレスとデータアドレスとを相互に変換することができる。
【００５１】
図７は、ＴＣ／ＤＴＣ変換装置内のメモリに格納される制御情報管理テーブルの一例を示す図である。図中、データアドレスは、ＩＰ方式におけるアドレスであり、従来ＴＣＰＯＳ（群・個アドレスに相当）は、ＣＤＴ方式におけるアドレスである。また、項目内容は、制御情報の制御項目である。ＴＣ／ＤＴＣ変換装置７は、例えば、ＤＴＣ子局８から下り用の選択制御情報として、データアドレスが“０１群００個”，ＩＤが“３０ｈ”のパケットを受け取ると、この制御情報管理テーブルを参照し、ＣＤＴ方式の“９群１個”の群・個アドレスに変換し、これを選択信号としてＴＣ子局５に送信する。なお、各データアドレス（群・個アドレス）には、「論理回線番号」が割り当てられており、これにより、制御対象となる配電盤を特定することができる。
【００５２】
ここで、データアドレスが“０１群０４個”の「ＬＴ１一次ＣＢ」のＩＤ（３０ｈ）を受信した場合、ＣＤＴ方式の“９群４個”に変換出力し選択を実行後、再度ＩＤ（３０ｈ）のＣＬ（入）制御を受信し、これをＣＤＴ方式へ変換出力する。これにより、「ＬＴ１一次ＣＢ（遮断機）」を入り（投入）制御することができる。また、切り制御の場合、ＯＰ（切）を受信しＣＤＴ方式へ変換出力する。また、ＲＳの場合、復帰制御となり、選択表示の取り込み後に選択表示を復帰させる制御のコードとして用いられる。例えば、後述の図２２では、自動選択により選択表示を取り込んだ後の“個別復帰制御”（Ｓ１３８）の出力となる。
【００５３】
図８は、ＴＣ／ＤＴＣ変換装置内のメモリに格納される表示情報管理テーブルの一例を示す図である。図６と同様に、図中、データアドレスは、ＩＰ方式におけるアドレスであり、従来ＴＣＰＯＳ（群・個アドレス）は、ＣＤＴ方式におけるアドレスである。また、項目内容は、表示情報の表示項目である。ＴＣ／ＤＴＣ変換装置７は、例えば、アナログ配電盤において「ＬＴ１  ４３ＬＲ」という項目に状変（状態変化）が発生し、ＴＣ子局５から、ＣＤＴ方式の群・個アドレスとして、“９群１個”を受け取ると、この群・個アドレスを、上位向け（上り方向）に、“０１群００個”のデータアドレスに変換し、これに対応するパケットＩＤとして“１４ｈ”を生成してＤＴＣ子局８側に送信する。なお、各データアドレス（群・個アドレス）には、「論理回線番号」が割り当てられており、これにより、表示対象となる配電盤を特定することができる。なお、表示情報としては、例えば、図７，図８に示す項目内容が表示される。具体的には、ＣＢ（遮断機）の入り・切りの状態表示や、送電線の故障内容として、ＯＣＨ（短絡）やＤＧ（地絡）などが表示される。
【００５４】
図９は、ＴＣ／ＤＴＣ変換装置内のメモリに格納される計測情報管理テーブルの一例を示す図である。図中、データアドレスは、ＩＰ方式におけるアドレスであり、従来ＴＣワードは、ＣＤＴ方式におけるアドレスである。また、項目内容は、計測情報の計測項目である。例えば、ＴＣ子局５から、アナログ配電盤の「ＬＴ１  二次電流」という項目の計測情報を定期的に送信する際に、ＴＣ／ＤＴＣ変換装置７は、ＣＤＴ方式のワードアドレスとして、“２１”を受け取る。そして、ＴＣ／ＤＴＣ変換装置７は、このワードアドレスを、上位向け（上り方向）に、“１”のデータアドレスに変換し、これに対応するパケットＩＤとして“２０ｈ（高速定周期計測情報）”を生成してＤＴＣ子局８側に送信する。なお、各データアドレス（ワードアドレス）には、「論理回線番号」が割り当てられており、これにより、計測対象となる配電盤を特定することができる。
【００５５】
図１０は、本発明のＴＣ／ＤＴＣ変換装置７が備えるＣＤＴ／ＩＰ変換機能を説明するための図である。前述の図７〜図９に示した変換テーブルにより、ＴＣ／ＤＴＣ変換装置７は、ＤＴＣ子局８向けのＩＴＣパケットと、ＴＣ子局５向けのＣＤＴデータとを相互にプロトコル変換を行い、制御情報，表示情報，計測情報について、ＤＴＣ子局８のデータアドレスと、ＴＣ子局５の群・個アドレス（計測情報の場合はワードアドレス）とを相互に変換することができる。
【００５６】
図１１〜図１５は、本発明のＴＣ／ＤＴＣ変換装置７が備える自動選択機能を説明するための図である。
図１１は、従来の子局側と親局側との間における自動選択機能を説明するための図である。従来のＴＣ子局５の場合、表示項目数に制限（最大約３２０項目）があるため、親局側の制御ＣＰＵ２からの表示選択信号により、ＴＣ子局５から詳細故障情報を伝送するようにしていた。
【００５７】
図１２は、図１１に示すシステム構成に基づき実行される自動選択処理の一例を説明するための図である。まず、アナログ配電盤６にＣＢ（遮断器）トリップなどの故障が発生すると（Ｓ１）、ＴＣ子局５は、ＣＢ断情報を制御ＣＰＵ２に伝送し（Ｓ２）、このＣＢ断情報を受けた制御ＣＰＵ２は、選択信号をＴＣ子局５に出力する（Ｓ３）。そして、ＴＣ子局５は、選択信号に応じた選択接点をアナログ配電盤６に出力し（Ｓ４）、アナログ配電盤６は、選択接点に応じた詳細故障情報をＴＣ子局５に出力する（Ｓ５）。そして、ＴＣ子局５は、詳細故障情報に応じた選択表示情報を制御ＣＰＵ２に伝送する（Ｓ６）。
【００５８】
図１３は、デジタル配電盤を備えた場合における子局側と親局側との間における自動選択機能を説明するための図である。ＤＴＣ子局８の場合、表示項目数に特に制限はなく、１０００項目以上が伝送可能であるため、ＤＴＣ子局８から常時表示として詳細故障情報を伝送するようにしている。すなわち、デジタル配電盤の場合、アナログ配電盤における自動選択という処理を行うことなく、詳細故障情報を取り込めるため、自動選択処理を行っていない。
【００５９】
図１４は、図１３に示すシステム構成に基づき実行される自動選択処理の一例を説明するための図である。まず、デジタル配電盤１０にＣＢ（遮断器）トリップなどの故障が発生すると（Ｓ１１）、ＤＴＣ子局８は、ＣＢ断情報を制御ＣＰＵ２に伝送し（Ｓ１２）、さらに、デジタル配電盤１０は、詳細故障情報をＤＴＣ子局８に出力する（Ｓ１３）。そして、ＤＴＣ子局８は、詳細故障情報に応じた常時表示情報を制御ＣＰＵ２に伝送する（Ｓ１４）。
【００６０】
図１５において、本発明に係る遠隔監視制御システムの場合、図１１，図１２に示したような、親局側の制御ＣＰＵ２からＴＣ子局５に対する自動選択処理が行われないため、ＴＣ／ＤＴＣ変換装置７が親局に代わって、自動選択処理を実行する。すなわち、ＴＣ／ＤＴＣ変換装置７は、ＴＣ子局５からアナログ配電盤６に係る故障発生が通知されると、この通知に対する選択信号をＴＣ子局５へ送信し、選択信号に応じた詳細故障情報（選択表示項目）をＴＣ子局５から取得する。そして、ＴＣ／ＤＴＣ変換装置７は、ＴＣ子局５から取得した選択表示項目を、ＩＰ方式のデータアドレスに変換してＩＴＣパケットを生成し、これを上位局側に伝送する。
【００６１】
このように、ＴＣ／ＤＴＣ変換装置７によれば、ＣＤＴ／ＩＰプロトコル変換を行うと共に、アナログ配電盤の監視情報（制御・表示・計測）を管理するための群・個アドレスをＩＰ方式のデータアドレスに変換する機能や、ＴＣ子局から選択表示項目を取り込むために、ＴＣ子局、アナログ配電盤向けに自動的に選択出力を行う機能を実現することができる。これにより、親局に対して、複数の子局を１つの子局に見せ、アナログ配電盤とデジタル配電盤を混在させることができるため、アナログ配電盤の一部をデジタル配電盤に容易に更新することができる。また、更新時において、ＤＴＣ子局や、ＴＣ子局、アナログ配電盤、デジタル配電盤などの既存装置をそのまま利用することができるため、コストをかけずにシステムを構築することができる。
【００６２】
以下、図１６〜図２７に基づいて、本発明の遠隔監視制御システムによる遠隔監視制御方法について説明するものとするが、ＴＣ／ＤＴＣ変換装置７と下位（ＴＣ子局５）側との間ではＣＤＴ方式によるＣＤＴ信号が伝送され、また、ＴＣ／ＤＴＣ変換装置７と上位（ＤＴＣ子局８）側との間ではＩＰ方式によるＩＴＣパケットが伝送されるものとする。なお、ＤＴＣ子局８とＩＴＣ親局３との間はＨＤＬＣ方式により伝送される。これらＣＤＴ信号とＩＴＣパケットとの変換処理はＴＣ／ＤＴＣ変換装置７で実行される。
【００６３】
図１６は、本発明の遠隔監視制御システムによる遠隔監視制御方法の一例を説明するための図である。本例では、ＤＴＣ子局８が起動した場合について説明する。まず、制御ＣＰＵ２は、ＩＴＣ親局３との間で、システム間装置診断情報（ＩＤ＝０３ｈ）を相互にやり取りする（Ｓ２１）。また、ＴＣ／ＤＴＣ変換装置７は、ＴＣ子局５との間で、ＣＤＴ信号を相互にやり取りする（Ｓ２２）。そして、ＤＴＣ子局８が起動すると、ＤＴＣ子局８とＩＴＣ親局３との回線リンクと、ＤＴＣ子局８とＴＣ／ＤＴＣ変換装置７との回線リンクとが確立され（Ｓ２３）、ＩＴＣ親局３は、ＤＴＣ子局８との間で、システム間装置診断情報（ＩＤ＝０３ｈ）を相互にやり取りし、ＤＴＣ子局８は、ＴＣ／ＤＴＣ変換装置７との間で、システム間装置診断情報（ＩＤ＝０３ｈ）を相互にやり取りする。
【００６４】
次に、ＤＴＣ子局８は、システム起動を通知し、ＩＴＣ親局３に装置故障集約状変時情報（ＩＤ＝０８ｈ）を伝送し、ＩＴＣ親局３は、この装置故障集約状変時情報を制御用ＣＰＵ２に伝送する（Ｓ２５）。そして、ＩＴＣ親局３は、イニシャライズ情報伝送要求（ＩＤ＝０１ｈ）をＤＴＣ子局８に伝送し、ＤＴＣ子局８は、このイニシャライズ情報伝送要求をＴＣ／ＤＴＣ変換装置７に伝送する（Ｓ２６）。また、ＩＴＣ親局３は、時刻同期（ＩＤ＝５０ｈ）をＤＴＣ子局８に伝送し、ＤＴＣ子局８は、この時刻同期をＴＣ／ＤＴＣ変換装置７に伝送する（Ｓ２７）。Ｓ２７での時刻同期は、起動時に最初のイニシャル要求電文の時刻データで時刻同期を行うための処理である。
【００６５】
次に、制御用ＣＰＵ２は、ＩＴＣ親局３に対してイニシャライズ情報伝送要求（ＩＤ＝０１ｈ）を伝送するが（Ｓ２８）、これに対してＩＴＣ親局３は、ＤＴＣ子局８からの情報が到着していないため、応答を返さない。そして、ＤＴＣ子局８は、ＩＴＣ親局３に装置故障集約イニシャライズ情報（ＩＤ＝０４ｈ）を伝送する（Ｓ２９）。また、ＴＣ／ＤＴＣ変換装置７は、ＤＴＣ子局８からのイニシャライズ情報伝送要求を受けて、ＤＴＣ子局８に表示イニシャル情報（ＩＤ＝１０ｈ）を伝送し、ＤＴＣ子局８は、この表示イニシャル情報をＩＴＣ親局３に伝送する（Ｓ３０）。
【００６６】
次に、Ｓ２８でのイニシャライズ情報伝送要求を伝送した後に所定時間が経過した場合、タイムアウト時のリトライ要求として、制御用ＣＰＵ２は、イニシャライズ情報伝送要求（ＩＤ＝０１ｈ）をＩＴＣ親局３に伝送し（Ｓ３１）、ＩＴＣ親局３は、このイニシャライズ情報伝送要求を受けて、装置故障集約イニシャライズ情報（ＩＤ＝０４ｈ）と、表示イニシャル情報（ＩＤ＝１０ｈ）とを制御ＣＰＵ２に伝送する（Ｓ３２，Ｓ３３）。そして、ＴＣ／ＤＴＣ変換装置７は、高速定周期計測情報（ＩＤ＝２０ｈ）をＤＴＣ子局８に伝送し、ＤＴＣ子局８は、高速定周期計測情報をＩＴＣ親局３に伝送し、ＩＴＣ親局３は、この高速定周期計測情報を制御用ＣＰＵ２に伝送する（Ｓ３４）。さらに、ＴＣ／ＤＴＣ変換装置７は、定時計測情報（ＩＤ＝２４ｈ）をＤＴＣ子局８に伝送し、ＤＴＣ子局８は、定時計測情報をＩＴＣ親局３に伝送し、ＩＴＣ親局３は、この定時計測情報を制御用ＣＰＵ２に伝送する（Ｓ３５）。
【００６７】
図１７は、本発明の遠隔監視制御システムによる遠隔監視制御方法の他の例を説明するための図である。本例では、ＴＣ／ＤＴＣ変換装置７が起動した場合について説明する。まず、制御用ＣＰＵ２とＩＴＣ親局３との間でシステム間装置診断情報（ＩＤ＝０３ｈ）を相互に伝送すると共に、ＩＴＣ親局３とＤＴＣ子局８との間でシステム間装置診断情報（ＩＤ＝０３ｈ）を相互に伝送する（Ｓ４１）。また、ＴＣ／ＤＴＣ変換装置７の電源が切ってあるため、ＴＣ／ＤＴＣ変換装置７とＴＣ子局５との間ではＣＤＴ信号が相互にやり取りされない（Ｓ４２）。これに伴いＤＴＣ子局８ではイーサネット（登録商標）ＬＡＮの異常を検出する（Ｓ４３）。
【００６８】
次に、ＴＣ／ＤＴＣ変換装置７の電源が入ったときに（Ｓ４４）、回線断が復帰し、ＴＣ／ＤＴＣ変換装置７とＴＣ子局５との間でＣＤＴ信号が相互にやり取りされる（Ｓ４５）。そして、ＤＣＴ子局８とＴＣ／ＤＴＣ変換装置７との間で回線リンクが確立し（Ｓ４６）、システム間装置診断情報（ＩＤ＝０３ｈ）が相互に伝送される（Ｓ４７）。このＳ４７におけるＴ１，Ｔ２はモードを示し、計測情報はＴ２モード移行後に伝送が許可される。
【００６９】
次に、ＤＴＣ子局８は、システム起動を通知し、ＩＴＣ親局３に装置故障集約状変時情報（ＩＤ＝０８ｈ）を伝送し、ＩＴＣ親局３は、この装置故障集約状変時情報を制御用ＣＰＵ２に伝送する（Ｓ４８）。そして、ＩＴＣ親局３は、イニシャライズ情報伝送要求（ＩＤ＝０１ｈ）をＤＴＣ子局８に伝送し、ＤＴＣ子局８は、このイニシャライズ情報伝送要求をＴＣ／ＤＴＣ変換装置７に伝送する（Ｓ４９）。また、ＩＴＣ親局３は、時刻同期（ＩＤ＝５０ｈ）をＤＴＣ子局８に伝送し、ＤＴＣ子局８は、この時刻同期をＴＣ／ＤＴＣ変換装置７に伝送する（Ｓ５０）。Ｓ５０での時刻同期は、起動時に最初のイニシャル要求電文の時刻データで時刻同期を行うための処理である。
【００７０】
次に、制御用ＣＰＵ２は、ＩＴＣ親局３に対してイニシャライズ情報伝送要求（ＩＤ＝０１ｈ）を伝送するが（Ｓ５１）、これに対してＩＴＣ親局３は、ＤＴＣ子局８からの情報が到着していないため、応答を返さない。そして、ＤＴＣ子局８は、ＩＴＣ親局３に装置故障集約イニシャライズ情報（ＩＤ＝０４ｈ）を伝送する（Ｓ５２）。ＴＣ／ＤＴＣ変換装置７は、ＤＴＣ子局８からのイニシャライズ情報伝送要求を受けて、ＤＴＣ子局８に表示イニシャル情報（ＩＤ＝１０ｈ）を伝送し、ＤＴＣ子局８は、この表示イニシャル情報をＩＴＣ親局３に伝送する（Ｓ５３）。なお、Ｓ４６の回線リンク確立から、Ｓ５３の表示イニシャル情報の伝送までの期間をイニシャル情報収集時間とし、この時間を１５秒としている。
【００７１】
次に、Ｓ５１でのイニシャライズ情報伝送要求を伝送した後に所定時間が経過した場合、タイムアウト時のリトライ要求として、制御用ＣＰＵ２は、イニシャライズ情報伝送要求（ＩＤ＝０１ｈ）をＩＴＣ親局３に伝送し（Ｓ５４）、ＩＴＣ親局３は、このイニシャライズ情報伝送要求を受けて、装置故障集約イニシャライズ情報（ＩＤ＝０４ｈ）と、表示イニシャル情報（ＩＤ＝１０ｈ）とを制御ＣＰＵ２に伝送する（Ｓ５５，Ｓ５６）。そして、ＴＣ／ＤＴＣ変換装置７は、高速定周期計測情報（ＩＤ＝２０ｈ）をＤＴＣ子局８に伝送し、ＤＴＣ子局８は、高速定周期計測情報をＩＴＣ親局３に伝送し、ＩＴＣ親局３は、この高速定周期計測情報を制御用ＣＰＵ２に伝送する（Ｓ５７）。さらに、ＴＣ／ＤＴＣ変換装置７は、定時計測情報（ＩＤ＝２４ｈ）をＤＴＣ子局８に伝送し、ＤＴＣ子局８は、定時計測情報をＩＴＣ親局３に伝送し、ＩＴＣ親局３は、定時計測情報を制御用ＣＰＵ２に伝送する（Ｓ５８）。
【００７２】
図１８は、本発明の遠隔監視制御システムによる遠隔監視制御方法の他の例を説明するための図である。本例では、ＴＣ子局５が起動した場合について説明する。まず、制御用ＣＰＵ２とＩＴＣ親局３との間でシステム間装置診断情報（ＩＤ＝０３ｈ）を相互に伝送すると共に、ＩＴＣ親局３とＤＴＣ子局８との間でシステム間装置診断情報を相互に伝送する（Ｓ６１）。ＤＴＣ子局８とＴＣ／ＤＴＣ変換装置７との間は回線リンクが切断されており（Ｓ６２）、これによりＤＴＣ子局８は、イーサネット（登録商標）ＬＡＮの異常を検出する（Ｓ６３）。ＴＣ子局５は、電源が入ると（Ｓ６４）、ＴＣ／ＤＴＣ変換装置７とＴＣ子局５との間でＣＤＴ信号が相互にやり取りする（Ｓ６５）。そして、ＤＣＴ子局８とＴＣ／ＤＴＣ変換装置７との間で回線リンクが復帰・確立する（Ｓ６６）。
【００７３】
次に、ＤＴＣ子局８は、システム起動を通知し、ＩＴＣ親局３に装置故障集約状変時情報（ＩＤ＝０８ｈ）を伝送し、ＩＴＣ親局３は、この装置故障集約状変時情報を制御用ＣＰＵ２に伝送する（Ｓ６７）。そして、ＩＴＣ親局３は、イニシャライズ情報伝送要求（ＩＤ＝０１ｈ）をＤＴＣ子局８に伝送し、ＤＴＣ子局８は、このイニシャライズ情報伝送要求をＴＣ／ＤＴＣ変換装置７に伝送する（Ｓ６８）。また、ＩＴＣ親局３は、時刻同期（ＩＤ＝５０ｈ）をＤＴＣ子局８に伝送し、ＤＴＣ子局８は、この時刻同期をＴＣ／ＤＴＣ変換装置７に伝送する（Ｓ６９）。Ｓ６９での時刻同期は、起動時に最初のイニシャル要求電文の時刻データで時刻同期を行うための処理である。
【００７４】
次に、制御用ＣＰＵ２は、ＩＴＣ親局３に対してイニシャライズ情報伝送要求（ＩＤ＝０１ｈ）を伝送するが（Ｓ７０）、これに対してＩＴＣ親局３は、ＤＴＣ子局８からの情報が到着していないため、応答を返さない。そして、ＤＴＣ子局８は、ＩＴＣ親局３に装置故障集約イニシャライズ情報（ＩＤ＝０４ｈ）を伝送する（Ｓ７１）。ＴＣ／ＤＴＣ変換装置７は、ＤＴＣ子局８からイニシャライズ情報伝送要求を受けて、ＤＴＣ子局８に表示イニシャル情報（ＩＤ＝１０ｈ）を伝送し、ＤＴＣ子局８は、この表示イニシャル情報をＩＴＣ親局３に伝送する（Ｓ７２）。なお、Ｓ６６の回線リンク確立から、Ｓ７２の表示イニシャル情報の伝送までの期間をイニシャル情報収集時間とし、この時間を１５秒としている。
【００７５】
次に、Ｓ７０でのイニシャライズ情報伝送要求を伝送した後に所定時間が経過した場合、タイムアウト時のリトライ要求として、制御用ＣＰＵ２は、イニシャライズ情報伝送要求（ＩＤ＝０１ｈ）をＩＴＣ親局３に伝送し（Ｓ７３）、ＩＴＣ親局３は、このイニシャライズ情報伝送要求を受けて、装置故障集約イニシャライズ情報（ＩＤ＝０４ｈ）と、表示イニシャル情報（ＩＤ＝１０ｈ）とを制御ＣＰＵ２に伝送する（Ｓ７４，Ｓ７５）。そして、ＴＣ／ＤＴＣ変換装置７は、高速定周期計測情報（ＩＤ＝２０ｈ）をＤＴＣ子局８に伝送し、ＤＴＣ子局８は、高速定周期計測情報をＩＴＣ親局３に伝送し、ＩＴＣ親局３は、この高速定周期計測情報を制御用ＣＰＵ２に伝送する（Ｓ７６）。さらに、ＴＣ／ＤＴＣ変換装置７は、定時計測情報（ＩＤ＝２４ｈ）をＤＴＣ子局８に伝送し、ＤＴＣ子局８は、定時計測情報をＩＴＣ親局３に伝送し、ＩＴＣ親局３は、この定時計測情報を制御用ＣＰＵ２に伝送する（Ｓ７７）。
【００７６】
図１９は、本発明の遠隔監視制御システムによる遠隔監視制御方法の他の例を説明するための図である。本例では、監視（表示・計測）情報を伝送する処理について説明するものとする。まず、ＴＣ／ＤＴＣ変換装置７とＴＣ子局５との間では、ＣＤＴ信号が相互に伝送される（Ｓ８１）。ＴＣ子局５は、表示項目のいずれかに状態変化（状変）が起こった場合、ＴＣ／ＤＴＣ変換装置７に対して表示状変を示すＣＤＴ信号を伝送する（Ｓ８２）。
【００７７】
そして、ＴＣ／ＤＴＣ変換装置７は、ＴＣ子局５からのＣＤＴ信号に基づき状変を検出すると、ＣＤＴ信号に応じた表示状変情報をＩＴＣパケット化し、このＩＴＣパケット化した表示状変情報（ＩＤ＝１４ｈ）をＤＴＣ子局８に伝送する。そして、この表示状変情報は、ＤＴＣ子局８からＩＴＣ親局３、ＩＴＣ親局３から制御用ＣＰＵ２に順次伝送される（Ｓ８３）。
【００７８】
次に、制御用ＣＰＵ２は、事故解析用情報の要求に応じて、事故解析用情報要求（ＩＤ＝１９ｈ）をＩＴＣ親局３に伝送し、ＩＴＣ親局３は、この事故解析用情報要求をＤＴＣ子局８に伝送する（Ｓ８４）。そして、ＤＴＣ子局８は、事故解析用情報要求を受けて、事故解析用情報（ＩＤ＝１９ｈ）をＩＴＣ親局３に伝送し、ＩＴＣ親局３は、この事故解析用情報を制御用ＣＰＵ２に伝送する（Ｓ８５）。
【００７９】
次に、ＴＣ子局５は、計測項目を伝送するための計測情報を示すＣＤＴ信号を、ＴＣ／ＤＴＣ変換装置７に伝送し（Ｓ８６）、ＴＣ／ＤＴＣ変換装置７は１サイクル毎に１アドレス分の計測情報を更新する。そして、ＴＣ／ＤＴＣ変換装置７は、ＣＤＴ信号に応じた高速定周期計測情報をＩＴＣパケット化し、このＩＴＣパケット化した高速定周期計測情報（ＩＤ＝２０ｈ）をＤＴＣ子局８に伝送し、この高速定周期計測情報は、ＤＴＣ子局８からＩＴＣ親局３、ＩＴＣ親局３から制御用ＣＰＵ２に順次伝送される（Ｓ８７）。また、ＴＣ／ＤＴＣ変換装置７は、ＩＴＣパケット化した定時計測情報（ＩＤ＝２４ｈ）をＤＴＣ子局８に伝送し、この定時計測情報は、ＤＴＣ子局８からＩＴＣ親局３、ＩＴＣ親局３から制御用ＣＰＵ２に順次伝送される（Ｓ８８）。なお、ＴＣ／ＤＴＣ変換装置７からの高速定周期計測情報の伝送周期は３秒（固定）とし、定時計測情報の伝送周期は１分または５分とする。
【００８０】
次に、制御用ＣＰＵ２は、選択制御情報（ＩＤ＝３０ｈ）をＩＴＣ親局３に伝送し、この選択制御情報は、ＩＴＣ親局３からＤＴＣ子局８、ＤＴＣ子局８からＴＣ／ＤＴＣ変換装置７に順次伝送される（Ｓ８９）。そして、ＴＣ／ＤＴＣ変換装置７は、この選択制御情報をＣＤＴフォーマット化し、このＣＤＴフォーマット化した選択信号（５Ｃ２：図４（Ｂ）参照）をＴＣ子局５に出力し（Ｓ９０）、ＴＣ子局５は、選択信号に応じた選択計測情報をＴＣ／ＤＴＣ変換装置７に伝送する（Ｓ９１）。ＴＣ／ＤＴＣ変換装置７では該当する計測項目を更新する。
【００８１】
次に、制御用ＣＰＵ２は、ＩＴＣ親局３に、定時計測情報要求（ＩＤ＝２４ｈ）と、要求時計測情報要求（ＩＤ＝２８ｈ）とを伝送し、これら定時計測情報要求と要求時計測情報要求とは、ＩＴＣ親局３からＤＴＣ子局８、ＤＴＣ子局８からＴＣ／ＤＴＣ変換装置７に順次伝送される（Ｓ９２）。そして、ＴＣ／ＤＴＣ変換装置７は、ＤＴＣ子局８に、定時計測情報（ＩＤ＝２４ｈ）と、要求時計測情報（ＩＤ＝２８ｈ）とを伝送し、これら定時計測情報と要求時計測情報とは、ＤＴＣ子局８からＩＴＣ親局３、ＩＴＣ親局３から制御用ＣＰＵ２に順次伝送される（Ｓ９３）。
【００８２】
図２０は、本発明の遠隔監視制御システムによる遠隔監視制御方法の他の例を説明するための図である。本例では、制御情報（正常時）を伝送する処理について説明するものとする。まず、ＴＣ／ＤＴＣ変換装置７とＴＣ子局５との間では、ＣＤＴ信号が相互に伝送される（Ｓ１０１）。制御用ＣＰＵ２は、一挙動制御の要求がなされると、ＩＴＣ親局３に一挙動制御情報（ＩＤ＝３９ｈ）を伝送し、この一挙動制御情報は、ＩＴＣ親局３からＤＴＣ子局８、ＤＴＣ子局８からＴＣ／ＤＴＣ変換装置７に順次伝送される（Ｓ１０２）。ＴＣ／ＤＴＣ変換装置７は、一挙動制御を示すＣＤＴ信号をＴＣ子局５に出力し（Ｓ１０３）、ＴＣ子局５はこれを制御出力する。
【００８３】
次に、ＴＣ子局５は、表示項目のいずれかに応動状変を検出すると、表示状変を示すＣＤＴ信号をＴＣ／ＤＴＣ変換装置７に伝送する（Ｓ１０４）。ＴＣ／ＤＴＣ変換装置７は、ＴＣ子局５からのＣＤＴ信号に基づき応動状変を検出すると、表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１０５）。なお、一挙動制御に対する制御結果は、表示状変情報で行うものとする。
【００８４】
次に、制御用ＣＰＵ２は、二挙動制御の要求がなされると、選択制御（選択）情報（ＩＤ＝３０ｈ）をＩＴＣ親局３に伝送し、この選択制御情報は、ＩＴＣ親局３からＤＴＣ子局８、ＤＴＣ子局８からＴＣ／ＤＴＣ変換装置７に順次伝送される（Ｓ１０６）。ＴＣ／ＤＴＣ変換装置７は、ＣＤＴフォーマット化した選択信号（５Ｃ２）をＴＣ子局５に出力し（Ｓ１０７）、ＴＣ子局５は、選択完了出力をオンにして、表示状変を示すＣＤＴ信号をＴＣ／ＤＴＣ変換装置７に伝送する（Ｓ１０８）。
【００８５】
ＴＣ／ＤＴＣ変換装置７は、ＴＣ子局５からのＣＤＴ信号に基づき状変を検出すると、選択制御返送（選択完了）情報（ＩＤ＝３０ｈ）をＤＴＣ子局８に伝送し、この選択制御返送情報は、ＤＴＣ子局８からＩＴＣ親局３、ＩＴＣ親局３から制御用ＣＰＵ２に順次伝送される（Ｓ１０９）。
【００８６】
次に、制御用ＣＰＵ２は、制御実行が要求されると、選択制御（制御実行）情報（ＩＤ＝３０ｈ）をＩＴＣ親局３に伝送し、この選択制御情報は、ＩＴＣ親局３からＤＴＣ子局８、ＤＴＣ子局８からＴＣ／ＤＴＣ変換装置７に順次伝送される（Ｓ１１０）。ＴＣ／ＤＴＣ変換装置７は、ＣＤＴフォーマット化した制御信号（３Ｃ２：図４（Ｃ）参照）をＴＣ子局５に１秒間出力し（Ｓ１１１）、ＴＣ子局５は、これを１秒間制御出力する。
【００８７】
そして、ＴＣ子局５は、表示項目のいずれかに応動状変を検出すると、表示状変を示すＣＤＴ信号をＴＣ／ＤＴＣ変換装置７に伝送する（Ｓ１１２）。ＴＣ／ＤＴＣ変換装置７は、ＴＣ子局５からのＣＤＴ信号に基づき応動状変を検出すると、応動状変表示情報（ＩＤ＝３１ｈ）をＤＴＣ子局８に伝送し、この応動状変表示情報は、ＤＴＣ子局８からＩＴＣ親局３、ＩＴＣ親局３から制御用ＣＰＵ２に順次伝送される（Ｓ１１３）。ＴＣ子局５は、制御信号（３Ｃ２）の出力から１５秒以内に応動状変が検出されない場合、「不応動」で返送する。なお、二挙動制御に対する制御結果は、応動状変表示情報で行うものとする。
【００８８】
次に、制御用ＣＰＵ２は、選択解除の要求がなされると、選択制御（選択解除）情報（ＩＤ＝３０ｈ）をＩＴＣ親局３に伝送し、この選択制御情報は、ＩＴＣ親局３からＤＴＣ子局８、ＤＴＣ子局８からＴＣ／ＤＴＣ変換装置７に順次伝送される（Ｓ１１４）。ＴＣ／ＤＴＣ変換装置７は、ＣＤＴフォーマット化した無選択信号（５Ｃ２）をＴＣ子局５に出力し（Ｓ１１５）、ＴＣ子局５は、選択完了出力をオフにして、表示状変を示すＣＤＴ信号をＴＣ／ＤＴＣ変換装置７に伝送する（Ｓ１１６）。
【００８９】
そして、ＴＣ／ＤＴＣ変換装置７は、ＴＣ子局５からのＣＤＴ信号に基づき状変を検出すると、選択制御（選択復帰）情報（ＩＤ＝３０ｈ）をＤＴＣ子局８に伝送し、この選択制御情報は、ＤＴＣ子局８からＩＴＣ親局３、ＩＴＣ親局３から制御用ＣＰＵ２に順次伝送される（Ｓ１１７）。
【００９０】
図２１は、本発明の遠隔監視制御システムによる遠隔監視制御方法の他の例を説明するための図である。本例では、診断情報を伝送する処理について説明するものとする。まず、ＴＣ／ＤＴＣ変換装置７とＴＣ子局５との間では、ＣＤＴ信号が相互に伝送される（Ｓ１２０）。ＩＴＣ親局３は、システム間情報診断情報要求（ＩＤ＝０２ｈ）をＤＴＣ子局８に伝送し（Ｓ１２１）、ＤＴＣ子局８は、この要求を受けて、装置故障集約情報診断情報（ＩＤ＝０６ｈ）と、表示システム間情報診断情報（ＩＤ＝１２ｈ）とをＩＴＣ親局３に伝送する（Ｓ１２２，Ｓ１２３）。
【００９１】
次に、制御用ＣＰＵ２は、システム間情報診断情報要求（ＩＤ＝０２ｈ）をＩＴＣ親局３に伝送し（Ｓ１２４）、ＩＴＣ親局３は、この要求を受けて、装置故障集約情報診断情報（ＩＤ＝０６ｈ）と、表示システム間情報診断情報（ＩＤ＝１２ｈ）とを制御用ＣＰＵ２に伝送する（Ｓ１２５，Ｓ１２６）。
【００９２】
そして、制御用ＣＰＵ２とＩＴＣ親局３との間、ＩＴＣ親局３とＤＴＣ子局８との間、ＤＴＣ子局８とＴＣ／ＤＴＣ変換装置７との間において、システム間装置診断情報（ＩＤ＝０３ｈ）が相互に伝送される（Ｓ１２７）。
【００９３】
図２２は、本発明の遠隔監視制御システムによる遠隔監視制御方法の他の例を説明するための図である。本例では、自動選択処理について説明するものとする。まず、ＴＣ／ＤＴＣ変換装置７とＴＣ子局５との間では、ＣＤＴ信号が相互に伝送される（Ｓ１３１）。
【００９４】
そして、ＴＣ子局５は、送電線故障などの自動選択故障取り込みのトリガとなる自動選択トリガ設定ポジションの状態変化（状変）を検出すると、表示状変を示すＣＤＴ信号をＴＣ／ＤＴＣ変換装置７に伝送する（Ｓ１３２）。ＴＣ／ＤＴＣ変換装置７は、このＣＤＴ信号に基づき状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１３３）。
【００９５】
そして、ＴＣ／ＤＴＣ変換装置７は、状変検出した後に、ＣＤＴフォーマット化した選択信号（５Ｃ２）をＴＣ子局５に伝送し（Ｓ１３４）、ＴＣ子局５が選択完了出力をオンにすると、ＴＣ子局５からＴＣ／ＤＴＣ変換装置７に表示状変を示すＣＤＴ信号が伝送される（Ｓ１３５）。
【００９６】
次に、ＴＣ子局５は、表示項目のいずれかに選択表示状変を検出すると、選択表示状変を示すＣＤＴ信号をＴＣ／ＤＴＣ変換装置７に伝送し（Ｓ１３６）、ＴＣ／ＤＴＣ変換装置７は、ＣＤＴ信号に基づき選択表示状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１３７）。
【００９７】
次に、ＴＣ／ＤＴＣ変換装置７は、個別復帰制御が要求されると、ＣＤＴフォーマット化した制御信号（３Ｃ２）をＴＣ子局５に出力する（Ｓ１３８）。なお、この個別復帰制御は自動選択処理のためｎ秒後に自動的に出力される。ＴＣ子局５はこれを制御出力する。
【００９８】
次に、ＴＣ子局５は、表示項目のいずれかに選択表示状変を検出すると、選択表示状変を示すＣＤＴ信号をＴＣ／ＤＴＣ変換装置７に伝送し（Ｓ１３９）、ＴＣ／ＤＴＣ変換装置７は、ＣＤＴ信号に基づき選択表示状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１４０）。
【００９９】
次に、ＴＣ／ＤＴＣ変換装置７は、選択解除出力が要求されると、ＣＤＴフォーマット化した無選択信号（５Ｃ２）をＴＣ子局５に出力する（Ｓ１４１）。この選択解除は自動選択処理のためｎ＋５秒後に自動的に出力される。そして、ＴＣ子局５は、選択完了出力をオフにすると、表示状変を示すＣＤＴ信号をＴＣ／ＤＴＣ変換装置７に伝送し（Ｓ１４２）、ＴＣ／ＤＴＣ変換装置７は、ＣＤＴ信号に基づき状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１４３）。
【０１００】
次に、ＴＣ子局５は、自動選択トリガ設定ポジションの状変を検出すると、表示状変を示すＣＤＴ信号をＴＣ／ＤＴＣ変換装置７に伝送する（Ｓ１４４，Ｓ１４５）。なお、ＴＣ／ＤＴＣ変換装置７において、自動選択トリガ設定ポジションの状変保存件数はｎ個とし、このｎを超えた状変については破棄され、自動選択処理を行わないように制御される。
【０１０１】
図２３は、本発明の遠隔監視制御システムによる遠隔監視制御方法の他の例を説明するための図である。本例では、ＴＣ／ＤＴＣ変換装置７にて自動選択中に制御ＣＰＵ２から選択の割り込みがあった場合の処理について説明するものとする。まず、ＴＣ／ＤＴＣ変換装置７とＴＣ子局５との間では、ＣＤＴ信号が相互に伝送される（Ｓ１５１）。
【０１０２】
ＴＣ子局５は、自動選択トリガ設定ポジションの状変を検出すると、表示状変を示すＣＤＴ信号をＴＣ／ＤＴＣ変換装置７に伝送する（Ｓ１５２）。ＴＣ／ＤＴＣ変換装置７は、ＣＤＴ信号に基づき状変を検出すると、本例では５秒後に、ＣＤＴフォーマット化した選択信号（５Ｃ２）をＴＣ子局５に伝送する（Ｓ１５３）。ＴＣ子局５は、選択完了出力をオンにすると、表示状変を示すＣＤＴ信号をＴＣ／ＤＴＣ変換装置７に伝送し（Ｓ１５４）、ＴＣ／ＤＴＣ変換装置７はＣＤＴ信号に基づき状変を検出する。
【０１０３】
次に、ＴＣ子局５は、表示項目のいずれかに選択表示状変を検出すると、選択表示状変を示すＣＤＴ信号をＴＣ／ＤＴＣ変換装置７に伝送し（Ｓ１５５）、ＴＣ／ＤＴＣ変換装置７は、このＣＤＴ信号に基づき状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１５６）。
【０１０４】
次に、制御ＣＰＵ２は、選択要求に応じて、ＩＴＣパケット化された選択制御（制御実行）情報（ＩＤ＝３０ｈ）をＩＴＣ親局３に伝送し、この選択制御情報は、ＩＴＣ親局３からＤＴＣ子局８、ＤＴＣ子局８からＴＣ／ＤＴＣ変換装置７に順次伝送される（Ｓ１５７）。ＴＣ／ＤＴＣ変換装置７は、ＣＤＴフォーマット化した無選択信号（５Ｃ２）をＴＣ子局５に出力し（Ｓ１５８）、ＴＣ子局５は、選択完了出力をオフにすると、表示状変を示すＣＤＴ信号をＴＣ／ＤＴＣ変換装置７に伝送する（Ｓ１５９）。ＴＣ／ＤＴＣ変換装置７は、状変を検出し、選択が解除されたことを確認する。
【０１０５】
次に、ＴＣ／ＤＴＣ変換装置７は、状変を検出し、選択が解除されたことを確認した後に、Ｓ１５７での選択制御を受けて、ＣＤＴフォーマット化した選択信号（５Ｃ２）をＴＣ子局５に出力し（Ｓ１６０）、ＴＣ子局５は、選択完了出力をオンにすると、表示状変を示すＣＤＴ信号をＴＣ／ＤＴＣ変換装置７に伝送する（Ｓ１６１）。ＴＣ／ＤＴＣ変換装置７は、ＣＤＴ信号に基づき状変を検出すると、ＩＴＣパケット化した選択制御返送（選択完了）情報（ＩＤ＝３０ｈ）をＤＴＣ子局８に伝送し、この選択制御返送情報は、ＤＴＣ子局８からＩＴＣ親局３、ＩＴＣ親局３から制御用ＣＰＵ２に順次伝送される（Ｓ１６２）。
【０１０６】
次に、制御用ＣＰＵ２は、制御実行要求に応じて、ＩＴＣパケット化された選択制御（制御実行）情報（ＩＤ＝３０ｈ）をＩＴＣ親局３に伝送し、この選択制御情報は、ＩＴＣ親局３からＤＴＣ子局８、ＤＴＣ子局８からＴＣ／ＤＴＣ変換装置７に順次伝送される（Ｓ１６３）。ＴＣ／ＤＴＣ変換装置７は、この選択制御情報を受けて、ＣＤＴフォーマット化した制御信号（３Ｃ２）をＴＣ子局５に出力し（Ｓ１６４）、ＴＣ子局５はこれを制御出力する。
【０１０７】
次に、ＴＣ子局５は、表示項目のいずれかに応動状変を検出すると、表示状変を示すＣＤＴ信号をＴＣ／ＤＴＣ変換装置７に伝送し（Ｓ１６５）、ＴＣ／ＤＴＣ変換装置７は、ＣＤＴ信号に基づき状変を検出すると、ＩＴＣパケット化した応動状変表示情報（ＩＤ＝３１ｈ）をＤＴＣ子局８に伝送し、この応動状変表示情報は、ＤＴＣ子局８からＩＴＣ親局３、ＩＴＣ親局３から制御用ＣＰＵ２に順次伝送される（Ｓ１６６）。
【０１０８】
次に、制御用ＣＰＵ２は、選択解除の要求がなされると、選択制御（選択解除）情報（ＩＤ＝３０ｈ）をＩＴＣ親局３に伝送し、この選択制御情報は、ＩＴＣ親局３からＤＴＣ子局８、ＤＴＣ子局８からＴＣ／ＤＴＣ変換装置７に順次伝送される（Ｓ１６７）。ＴＣ／ＤＴＣ変換装置７は、ＣＤＴフォーマット化した選択信号（５Ｃ２）をＴＣ子局５に出力し（Ｓ１６８）、ＴＣ子局５は、選択完了出力をオフにして、表示状変を示すＣＤＴ信号をＴＣ／ＤＴＣ変換装置７に伝送する（Ｓ１６９）。
【０１０９】
ＴＣ／ＤＴＣ変換装置７は、ＴＣ子局５からのＣＤＴ信号に基づき状変を検出すると、選択制御（選択復帰）情報（ＩＤ＝３０ｈ）をＤＴＣ子局８に伝送し、この選択制御情報は、ＤＴＣ子局８からＩＴＣ親局３、ＩＴＣ親局３から制御用ＣＰＵ２に順次伝送される（Ｓ１７０）。以下、自動選択処理がリトライされ、ＴＣ／ＤＴＣ変換装置７は、ＣＤＴ信号に基づき状変を検出すると、例えば５秒後にＣＤＴフォーマット化した選択信号（５Ｃ２）をＴＣ子局５に伝送する（Ｓ１７１）。ＴＣ子局５は、選択完了出力をオンにすると、表示状変を示すＣＤＴ信号をＴＣ／ＤＴＣ変換装置７に伝送し（Ｓ１７２）、ＴＣ／ＤＴＣ変換装置７はＣＤＴ信号に基づき状変を検出する。
【０１１０】
次に、ＴＣ子局５は、表示項目のいずれかに選択表示状変を検出すると、選択表示状変を示すＣＤＴ信号をＴＣ／ＤＴＣ変換装置７に伝送し（Ｓ１７３）、ＴＣ／ＤＴＣ変換装置７は、ＣＤＴ信号に基づき状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１７４）。
【０１１１】
このように、ＴＣ／ＤＴＣ変換装置７による自動選択中に制御ＣＰＵ２から選択要求があった場合には、制御ＣＰＵ２からの要求を優先し、自動選択を解除後に、制御ＣＰＵ２からの選択要求処理（選択表示取込シーケンス）を実行するように制御される。
【０１１２】
図２４は、本発明の遠隔監視制御システムによる遠隔監視制御方法の他の例を説明するための図である。本例では、選択表示処理について説明するものとする。まず、ＴＣ／ＤＴＣ変換装置７とＴＣ子局５との間では、ＣＤＴ信号が相互に伝送される（Ｓ１８１）。
【０１１３】
次に、ＴＣ子局５は、自動選択トリガ設定ポジションの状態変化（状変）を検出すると、表示状変を示すＣＤＴ信号をＴＣ／ＤＴＣ変換装置７に伝送する（Ｓ１８２）。ＴＣ／ＤＴＣ変換装置７は、ＣＤＴ信号に基づき状変を検出すると、ＣＤＴフォーマット化した選択信号（５Ｃ２）をＴＣ子局５に伝送し（Ｓ１８３）、ＴＣ子局５が選択完了出力をオンにすると、ＴＣ子局５からＴＣ／ＤＴＣ変換装置７に表示状変を示すＣＤＴ信号が伝送される（Ｓ１８４）。
【０１１４】
次に、ＴＣ子局５は、表示項目のいずれかに選択表示状変を検出すると、選択表示状変を示すＣＤＴ信号をＴＣ／ＤＴＣ変換装置７に伝送し（Ｓ１８５）、ＴＣ／ＤＴＣ変換装置７は、ＣＤＴ信号に基づき状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１８６）。
【０１１５】
次に、ＴＣ／ＤＴＣ変換装置７は、個別復帰制御が要求されると、ＣＤＴフォーマット化した制御信号（３Ｃ２）をＴＣ子局５に出力する（Ｓ１８７）。ＴＣ子局５はこれを制御出力する。
【０１１６】
次に、ＴＣ子局５は、表示項目のいずれかに選択表示状変を検出すると、表示状変を示すＣＤＴ信号をＴＣ／ＤＴＣ変換装置７に伝送し（Ｓ１８８）、ＴＣ／ＤＴＣ変換装置７は、ＣＤＴ信号に基づき状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１８９）。
【０１１７】
次に、ＴＣ／ＤＴＣ変換装置７は、選択解除出力が要求されると、ＣＤＴフォーマット化した無選択信号（５Ｃ２）をＴＣ子局５に出力する（Ｓ１９０）。そして、ＴＣ子局５は、選択完了出力をオフにすると、表示状変を示すＣＤＴ信号をＴＣ／ＤＴＣ変換装置７に伝送する（Ｓ１９１）。そして、ＴＣ／ＤＴＣ変換装置７は、ＣＤＴ信号に基づき状変を検出すると、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ１９２）。
【０１１８】
次に、ＴＣ子局５は、自動選択トリガ設定ポジションの状変を検出すると、表示状変を示すＣＤＴ信号をＴＣ／ＤＴＣ変換装置７に伝送する（Ｓ１９３，Ｓ１９４）。なお、ＴＣ／ＤＴＣ変換装置７において、自動選択トリガ設定ポジションの状変保存件数はｎ個とし、このｎを超えた状変については破棄され、自動選択処理を行わないように制御される。
【０１１９】
図２５は、本発明の遠隔監視制御システムによる遠隔監視制御方法の他の例を説明するための図である。本例では、ＣＤＴ回線の異常時における処理について説明するものとする。ＴＣ／ＤＴＣ変換装置７とＴＣ子局５との間に、制御回線断で制御渋滞が発生しており、ＣＤＴ信号が相互に伝送されない（Ｓ２０１）。この場合、ＴＣ／ＤＴＣ変換装置７は、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ２０２）。その後、制御渋滞から復帰し、ＴＣ／ＤＴＣ変換装置７とＴＣ子局５との間で、ＣＤＴ信号が相互に伝送されるようになると（Ｓ２０３）、ＴＣ／ＤＴＣ変換装置７は、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ２０４）。
【０１２０】
図２６は、本発明の遠隔監視制御システムによる遠隔監視制御方法の他の例を説明するための図である。本例では、ＣＤＴ回線の異常時における他の処理について説明するものとする。ＴＣ／ＤＴＣ変換装置７とＴＣ子局５との間に、表示回線断で表示渋滞が発生しており、ＣＤＴ信号が相互に伝送されない（Ｓ２１１）。この場合、ＴＣ／ＤＴＣ変換装置７は、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ２１２）。
【０１２１】
その後、ＤＴＣ子局８とＴＣ／ＤＴＣ変換装置７との間のＴＣ／ＤＴＣ変換装置７が自ら回線リンクを切断すると（Ｓ２１３）、ＤＴＣ子局８はイーサネット（登録商標）ＬＡＮの異常を検出する。回線リンクが切断されているため、ＤＴＣ子局８とＴＣ／ＤＴＣ変換装置７との間において、システム間装置診断情報（ＩＤ＝０３ｈ）を相互に伝送することができない（Ｓ２１４）。この場合、ＤＴＣ子局８が、ＩＴＣパケット化した装置故障集約状変時情報（ＩＤ＝０８ｈ）をＩＴＣ親局３に伝送し、ＩＴＣ親局３は、この装置故障集約状変時情報を制御用ＣＰＵ２に伝送する（Ｓ２１５）。そして、ＤＴＣ子局８は、高速定周期計測情報（ＩＤ＝２０ｈ）と、定時計測情報（ＩＤ＝２４ｈ）とをＩＴＣ親局３に伝送し、ＩＴＣ親局３は、これら高速定周期計測情報と定時計測情報とを制御用ＣＰＵ２に伝送する（Ｓ２１６，Ｓ２１７）。なお、これらの計測情報としては、フラグ反転し保持している前値データを出力する。
【０１２２】
その後、表示渋滞から復帰し、ＴＣ／ＤＴＣ変換装置７とＴＣ子局５との間で、ＣＤＴ信号が相互に伝送されるようになると（Ｓ２１８）、ＤＴＣ子局８とＴＣ／ＤＴＣ変換装置７との間で回線リンクが確立され（Ｓ２１９）、ＴＣ起動時処理に移行する。
【０１２３】
ＤＴＣ子局８は、異常復帰を通知し、ＩＴＣ親局３に装置故障集約状変時情報（ＩＤ＝０８ｈ）を伝送し、ＩＴＣ親局３は、この装置故障集約状変時情報を制御用ＣＰＵ２に伝送する（Ｓ２２０）。そして、ＩＴＣ親局３は、イニシャライズ情報伝送要求（ＩＤ＝０１ｈ）をＤＴＣ子局８に伝送し、ＤＴＣ子局８は、このイニシャライズ情報伝送要求をＴＣ／ＤＴＣ変換装置７に伝送する（Ｓ２２１）。
【０１２４】
次に、ＤＴＣ子局８は、ＩＴＣ親局３に装置故障集約イニシャライズ情報（ＩＤ＝０４ｈ）を伝送する（Ｓ２２２）。ＴＣ／ＤＴＣ変換装置７は、ＤＴＣ子局８からイニシャライズ情報伝送要求を受けて、ＤＴＣ子局８に表示イニシャル情報（ＩＤ＝１０ｈ）を伝送し、ＤＴＣ子局８は、この表示イニシャル情報をＩＴＣ親局３に伝送する（Ｓ２２３）。なお、ＴＣ／ＤＴＣ変換装置７において、表示回線異常の項目は復帰状態にあるものとする。
【０１２５】
次に、ＴＣ／ＤＴＣ変換装置７は、ＩＴＣパケット化した表示状変情報（ＩＤ＝１４ｈ）をＤＴＣ子局８に伝送し、この表示状変情報は、ＤＴＣ子局８からＩＴＣ親局３、ＩＴＣ親局３から制御用ＣＰＵ２に順次伝送される（Ｓ２２４）。
【０１２６】
図２７は、本発明の遠隔監視制御システムによる遠隔監視制御方法の他の例を説明するための図である。本例では、ＣＤＴ回線の異常時における他の処理について説明するものとする。ＴＣ／ＤＴＣ変換装置７とＴＣ子局５との間では、ＣＤＴ信号が相互に伝送される（Ｓ２３１）。ここではＤＴＣ子局８とＴＣ／ＤＴＣ変換装置７との間でＬＡＮケーブルに異常があるか、あるいは、ハブ９に異常があるものとする。この異常により、ＤＴＣ子局８とＴＣ／ＤＴＣ変換装置７との間の回線リンクが切断され（Ｓ２３２）、ＤＴＣ子局８はイーサネット（登録商標）ＬＡＮの異常を検出する。回線リンクが切断されているため、ＤＴＣ子局８とＴＣ／ＤＴＣ変換装置７との間において、システム間装置診断情報（ＩＤ＝０３ｈ）を相互に伝送することができない（Ｓ２３３）。
【０１２７】
この場合、ＤＴＣ子局８が、ＩＴＣパケット化された装置故障集約状変時情報（ＩＤ＝０８ｈ）をＩＴＣ親局３に伝送し、ＩＴＣ親局３は、この装置故障集約状変時情報を制御用ＣＰＵ２に伝送する（Ｓ２３４）。そして、ＤＴＣ子局８は、高速定周期計測情報（ＩＤ＝２０ｈ）と、定時計測情報（ＩＤ＝２４ｈ）とをＩＴＣ親局３に伝送し、ＩＴＣ親局３は、これら高速定周期計測情報と定時計測情報とを制御用ＣＰＵ２に伝送する（Ｓ２３５，Ｓ２３６）。なお、これらの計測情報としては、フラグ反転し保持している前値データを出力する。
【０１２８】
その後、ＬＡＮケーブルあるいはハブ９の異常が解消され、ＤＴＣ子局８とＴＣ／ＤＴＣ変換装置７との間で回線リンクが確立されると（Ｓ２３７）、ＴＣ／ＤＴＣ起動時処理へ移行する。
【０１２９】
ＤＴＣ子局８とＴＣ／ＤＴＣ変換装置７との間では、システム間装置診断情報（ＩＤ＝０３ｈ）を相互に伝送する（Ｓ２３８）。そして、ＤＴＣ子局８は、ＩＴＣ親局３に装置故障集約状変時情報（ＩＤ＝０８ｈ）を伝送し、ＩＴＣ親局３は、この装置故障集約状変時情報を制御用ＣＰＵ２に伝送する（Ｓ２３９）。そして、ＩＴＣ親局３は、イニシャライズ情報伝送要求（ＩＤ＝０１ｈ）をＤＴＣ子局８に伝送し、ＤＴＣ子局８は、このイニシャライズ情報伝送要求をＴＣ／ＤＴＣ変換装置７に伝送する（Ｓ２４０）。また、ＩＴＣ親局３は、時刻同期（ＩＤ＝５０ｈ）をＤＴＣ子局８に伝送し、ＤＴＣ子局８は、この時刻同期をＴＣ／ＤＴＣ変換装置７に伝送する（Ｓ２４１）。
【０１３０】
次に、制御用ＣＰＵ２は、ＩＴＣ親局３に対してイニシャライズ情報伝送要求（ＩＤ＝０１ｈ）を伝送する（Ｓ２４２）。ＤＴＣ子局８は、ＩＴＣ親局３に装置故障集約イニシャライズ情報（ＩＤ＝０４ｈ）を伝送する（Ｓ２４３）。また、ＴＣ／ＤＴＣ変換装置７は、ＤＴＣ子局８からのイニシャライズ情報伝送要求を受けて、ＤＴＣ子局８に表示イニシャル情報（ＩＤ＝１０ｈ）を伝送し、ＤＴＣ子局８は、この表示イニシャル情報をＩＴＣ親局３に伝送する（Ｓ２４４）。なお、ここでは、ＴＣ向け表示回線は正常であるため、Ｓ２３７の回線リンク確立後からのイニシャル情報収集時間（１５秒）は考慮しなくてもよい。
【符号の説明】
【０１３１】
１…制御所、２…制御ＣＰＵ、３…ＩＴＣ親局、４…配電用変電所、５…ＴＣ子局、６…アナログ配電盤、７…ＴＣ／ＤＴＣ変換装置、８…ＤＴＣ子局、９…ハブ、１０…デジタル配電盤、１１…ＣＤＴ、１２…ＬＡＮ、１３…ＨＤＬＣ、７１…メインＣＰＵ、７２…ＣＤＴ用回線制御部、７３…復調部、７４…変調部、７５…電源部、７６…ＬＡＮ用回線制御部、７７…警報出力部、７８…メモリ。
【図１】
2010178058.tif 000003
【図２】
2010178058.tif 000004
【図３】
2010178058.tif 000005
【図４】
2010178058.tif 000006
【図５】
2010178058.tif 000007
【図６】
2010178058.tif 000008
【図７】
2010178058.tif 000009
【図８】
2010178058.tif 000010
【図９】
2010178058.tif 000011
【図１０】
2010178058.tif 000012
【図１１】
2010178058.tif 000013
【図１２】
2010178058.tif 000014
【図１３】
2010178058.tif 000015
【図１４】
2010178058.tif 000016
【図１５】
2010178058.tif 000017
【図１６】
2010178058.tif 000018
【図１７】
2010178058.tif 000019
【図１８】
2010178058.tif 000020
【図１９】
2010178058.tif 000021
【図２０】
2010178058.tif 000022
【図２１】
2010178058.tif 000023
【図２２】
2010178058.tif 000024
【図２３】
2010178058.tif 000025
【図２４】
2010178058.tif 000026
【図２５】
2010178058.tif 000027
【図２６】
2010178058.tif 000028
【図２７】
2010178058.tif 000029
【図２８】
2010178058.tif 000030
【図２９】
2010178058.tif 000031
【図３０】
2010178058.tif 000032